【手続補正書】
【提出日】平成20年8月5日(2008.8.5)
【手続補正１】
【補正対象書類名】特許請求の範囲
【補正対象項目名】請求項４
【補正方法】変更
【補正の内容】
【請求項４】
請求項２記載の粉砕機の据付工法において、
前記複数の粉砕機を収容するミル建屋の天井側にホイストを吊り下げたモノレールを架設し、
前記ホイストから前記レール上に乗った粉砕機にワイヤを掛け、粉砕機とともに前記ホイストを移動して、搬送時の粉砕機の横転を防止することを特徴とする粉砕機の据付工法。
【手続補正２】
【補正対象書類名】明細書
【補正対象項目名】０００２
【補正方法】変更
【補正の内容】
【０００２】
ミル及びミル建屋などの配置は、図９ならびに図１０に示すようなものが一般的である。同図において１は石炭焚ボイラ、２（２ａ〜２ｆ）はその石炭焚ボイラ１に接続されて生成した微粉炭を供給する複数のミルで、図２に示すように石炭焚ボイラ１の隣に１列になって配置されている。３は各ミル２の上部に設けられた石炭バンカ、４は石炭焚ボイラ１を収容するボイラ建屋、５はミル２ならびに石炭バンカ３を収容するミル建屋、６はタービン（図示せず）を収容するタービン建屋であり、全体的に図に示すような配置となっている。
【手続補正３】
【補正対象書類名】明細書
【補正対象項目名】０００５
【補正方法】変更
【補正の内容】
【０００５】
従来、ミルの据付工法として下記の２つの工法が知られている。  
（１）ミル建屋鉄骨の据付前の先行ミル組付工法
ａ．ミルの基礎工事が完成した状態で、現地にて分割納入されたミルを移動式クレーン等を使用して組立てる。
【手続補正４】
【補正対象書類名】明細書
【補正対象項目名】０００６
【補正方法】変更
【補正の内容】
【０００６】
ｂ．ボイラ建屋鉄骨はミルの据付工事と並行して据付するか、もしくは完成後に据付ける。
【手続補正５】
【補正対象書類名】明細書
【補正対象項目名】０００７
【補正方法】変更
【補正の内容】
【０００７】
ｃ．ミルの据付工事完成後、ミル建屋の据付を実施する。
【手続補正６】
【補正対象書類名】明細書
【補正対象項目名】０００８
【補正方法】変更
【補正の内容】
【０００８】
（２）ミル建屋鉄骨の据付後のモノレールを利用しての後ミル組付工法
ａ．ミル建屋鉄骨の据付を行う。
【手続補正７】
【補正対象書類名】明細書
【補正対象項目名】０００９
【補正方法】変更
【補正の内容】
【０００９】
ｂ．ミル建屋鉄骨に本設したモノレールにホイストを設置する。
【手続補正８】
【補正対象書類名】明細書
【補正対象項目名】００１２
【補正方法】変更
【補正の内容】
【００１２】
図９ならびに図１０に示すように、ミル建屋５の鉄骨はボイラ建屋４の鉄骨の一部であり、タービン建屋６がそれに隣接している。このためミル建屋５の鉄骨工事がボイラ本体や上部の石炭バンカ３，タービン建屋６の据付工事への工程上のクリティカルパスになっている。ミル２の据付には一般的に１ヶ月/１基程度の工期が予定される。
【手続補正９】
【補正対象書類名】明細書
【補正対象項目名】００１３
【補正方法】変更
【補正の内容】
【００１３】
前述した従来工法（１）では、ミル建屋の鉄骨工事全体が遅れることは、全体の据付工事工期が長くなるため、短工期の仕事での採用が困難である。また、受注契約から工事着工までにミルの製作が間に合わない等の問題が多々発生する。
【手続補正１０】
【補正対象書類名】明細書
【補正対象項目名】００１４
【補正方法】変更
【補正の内容】
【００１４】
従来工法（２）では、ミルの構成ブロックをミル建屋内の狭隘なスペースに仮置きした状況で、移動範囲が決められたホイストを使用しての組付作業となるため、製品の移動ならびに据付けに多大な作業を要す。
【手続補正１１】
【補正対象書類名】明細書
【補正対象項目名】００１９
【補正方法】変更
【補正の内容】
【００１９】
本発明の第４の手段は前記第２の手段において、前記複数の粉砕機を収容するミル建屋の天井側にホイストを吊り下げたモノレールを架設し、
前記ホイストから前記レール上に乗った粉砕機にワイヤを掛け、粉砕機とともに前記ホイストを移動して、搬送時の粉砕機の横転を防止することを特徴とするものである。
【手続補正１２】
【補正対象書類名】明細書
【補正対象項目名】００２５
【補正方法】変更
【補正の内容】
【００２５】
ミル建屋５の鉄骨は、全体工程に影響がでないように先行して据付する。なお、図１に示すミル建屋５内のエリア２２は、全体工程に比較的影響の少ない箇所に設定されたミル最終組付場所で、そのエリア２２の鉄骨はミル２の据付が全て終了した後に取り付けられる。本実施形態ではミル建屋５内の一方の端にエリア２２が設けられている。
【手続補正１３】
【補正対象書類名】明細書
【補正対象項目名】００３６
【補正方法】変更
【補正の内容】
【００３６】
ミル建屋５の天井部には同図に示すようにメンテナンス用のモノレール３９が予め架設され、そのモノレール３９には複数のホイスト４０が吊り下げられているから、その複数のホイスト４０からミル２の上部にワイヤ４１を掛けて、ミル２と共にホイスト４０を移動して搬送時におけるミル２の転倒を防止している。
【手続補正１４】
【補正対象書類名】明細書
【補正対象項目名】００４２
【補正方法】変更
【補正の内容】
【００４２】
このようにして全てのミル２の据付けが終了すると、エリア２２の所の残りの鉄骨が組み付けられてミル建屋５が完成する。
【手続補正１５】
【補正対象書類名】明細書
【補正対象項目名】００４４
【補正方法】変更
【補正の内容】
【００４４】
【図１】本発明の実施形態に係るミルの据付工法を説明するための概略平面図である。
【図２】そのミルの据付に用いるレールとガイドアングルの一部斜視図である。
【図３】そのレールを用いてミルを搬送する際の状態を示す一部拡大断面図である。
【図４】ミルを搬送した後のレールの据え置きの状態を示す一部拡大断面図である。
【図５】本発明の実施形態に係る下部ハウジング・減速機一体型ベースの上に下部ハウジング基礎と減速機基礎を設置した状態を示す平面図である。
【図６】その下部ハウジング・減速機一体型ベースの上に下部ハウジングと減速機を設置した状態を示す正面図である。
【図７】従来の下部ハウジング基礎と減速機基礎を設置した状態を示す平面図である。
【図８】本発明の実施形態に係るミルの搬送状態を説明するための概略正面図である。
【図９】ミル及びミル建屋などの配置状態を示す概略正面図である。
【図１０】ミル及びミル建屋などの配置状態を示す概略平面図である。
【図１１】従来のミルの分解図である。
【手続補正１６】
【補正対象書類名】明細書
【補正対象項目名】００４５
【補正方法】変更
【補正の内容】
【００４５】
１：石炭焚ボイラ、２，２ａ〜２ｆ：ミル、３：石炭バンカ、４：ボイラ建屋、５：ミル建屋、６：タービン建屋、８：減速機、９：下部ハウジング、１０：ミル本体、１１：回転テーブル、１２：粉砕ローラ、１３：中間ハウジング、１４：分級機本体、１５：回収コーン、１６：固定分級器、１７：回転分級機、１８：給炭管、１９：ミル建屋鉄骨、２０：ジャッキ、２１：コンクリート床、２２：エリア、２３：地組場、２４：移動式クレーン、２５：搬送用台車、２６：レール、２７：フロアレべル、２８：ガイドアングル、２９：アングル止めボルト、３０：建込ナット、３１：凹部、３２：ナットキャップ、３３：下部ハウジング・減速機一体型ベース、３４：減速機基礎、３５：下部ハウジング基礎、３６：ジャッキ用支持部、３７：減速機モータ基礎、３８：ウインチ、３９：モノレール、４０：ホイスト、４１：ワイヤ、４２：牽引用ワイヤ。